(57)【要約】【課題】  本発明は使用者の気分に応じてフレームカバーの外側から見える部分の色、模様、形状を変えて使用することができ、飽きるのを防止するとともに、高価なメガネを複数個用意しておかなくても、楽しくおしゃれに使用することができるメガネフレームおよびフレームカバーを得るにある。【解決手段】  メガネフレーム本体と、このメガネフレーム本体のつる部分に回転可能に取付けられた、筒状で外周部に回転することにより変化するように形成された少なくとも２つ以上の色、模様、形状を有するフレームカバーとでメガネフレームを構成している。【選択図】  図１
2006220966.tif 000002
【特許請求の範囲】
【請求項１】
メガネフレーム本体と、このメガネフレーム本体のつる部分に回転可能に取付けられた、筒状で外周部に回転することにより変化するように形成された少なくとも２つ以上の色、模様、形状を有するフレームカバーとを備えることを特徴とするメガネフレーム。
【請求項２】
メガネフレーム本体と、このメガネフレーム本体のつる部分に回転可能に取付けられた、筒状で外周部に回転することにより変化するように形成された少なくとも２つ以上の色、模様、形状を有するフレームカバーと、このフレームカバーに取付けられた、該フレームカバーを所定回動位置で固定する固定手段とを備えることを特徴とするメガネフレーム。
【請求項３】
メガネフレーム本体のつる部分に回転可能に取付けることができる筒状のフレームカバー本体と、このフレームカバー本体の外周部に、回転することにより変化するように形成された少なくとも２つ以上の色、模様、形状とからなることを特徴とする請求項１、２いずれかに記載のフレームカバー。
【請求項４】
メガネフレーム本体のつる部分に回転方向に位置を変えて着脱可能に取付けることができる２分割された筒状のフレームカバー本体と、このフレームカバー本体の外周部に、回転することにより変化するように形成された少なくとも２つ以上の色、模様、形状とからなることを特徴とする請求項１、２いずれかに記載のフレームカバー。
【請求項５】
フレームカバー本体は磁石あるいはマグネシウム材、磁気あるいはマグネシウム、トルマリン等を含ませたものを用いていることを特徴とする請求項３、４いずれかに記載のフレームカバー。
【発明の詳細な説明】
【技術分野】
【０００１】
本発明はメガネフレームおよび該メガネフレームのつる部分に取付けるフレームカバーに関する。
【背景技術】
【０００２】
従来のメガネフレームは形状と色彩や模様でデザインを変えている。
【０００３】
このため、Ｔ・Ｐ・Ｏに合わせてメガネを使用しようとすると、複数個のメガネを用意しておかなければならず、費用がかかってしまうという欠点があった。
【特許文献１】特になし
【発明の開示】
【発明が解決しようとする課題】
【０００４】
本発明は以上のような従来の欠点に鑑み、使用者の気分に応じてフレームカバーの外側から見える部分の色、模様、形状を変えて使用することができ、飽きるのを防止するとともに、高価なメガネを複数個用意しておかなくても、楽しくおしゃれに使用することができるメガネフレームおよびフレームカバーを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はメガネフレーム本体と、このメガネフレーム本体のつる部分に回転可能に取付けられた、筒状で外周部に回転することにより変化するように形成された少なくとも２つ以上の色、模様、形状を有するフレームカバーとでメガネフレームを構成している。
【０００７】
また、本発明はメガネフレーム本体のつる部分に回転可能に取付けることができる筒状のフレームカバー本体と、このフレームカバー本体の外周部に、回転することにより変化するように形成された少なくとも２つ以上の色、模様、形状  とでフレームカバーを構成している。
【発明の効果】
【０００８】
以上の説明から明らかなように、本発明にあっては次に列挙する効果が得られる。
【０００９】
（１）メガネフレーム本体と、このメガネフレーム本体のつる部分に回転可能に取付けられた、筒状で外周部に回転することにより変化するように形成された少なくとも２つ以上の色、模様、形状を有するフレームカバーとで構成されているので、フレームカバーを回転させることにより、つる部分が異なるデザインのメガネフレームにできる。
したがって、気分に応じてデザインを変えて、楽しく使用することができる。
【００１０】
（２）前記（１）によって、メガネフレーム本体のつる部分に回転可能に取付けられているので、楽な操作でつる部分のデザインを気軽に変えて使用することができる。
【００１１】
（３）前記（１）によって、メガネフレーム本体のつる部分にフレームカバーを回転可能に取付けるだけであるので、容易に実施することができる。
【００１２】
（４）請求項２も前記（１）〜（３）と同様な効果が得られるとともに、フレームカバーをメガネフレーム本体のつるに固定的に取付けることができ、使用中にずれたりするのを確実に防止することができる。
【００１３】
（５）請求項３も前記（１）〜（３）と同様な効果が得られる。
【００１４】
（６）請求項４も前記（１）〜（４）と同様な効果が得られるとともに、既存のメガネフレームのつる部分にも容易に取付けて使用することができる。
【発明を実施するための最良の形態】
【００１５】
以下、図面に示す本発明を実施するための最良の形態により、本発明を詳細に説明する。
【００１６】
図１ないし図５に示す本発明を実施するための最良の第１の形態において、１は本発明のメガネフレームで、このメガネフレーム１はメガネフレーム本体２と、このメガネフレーム本体２のつる３、３部分に回転可能に取付けられたフレームカバー４、４とで構成されている。
【００１７】
前記メガネフレーム本体２はつる３、３に直線部分が形成されたものであればどんな形状のものであってもよい。
【００１８】
前記フレームカバー４、４は図２ないし図４に示すように、金属あるいは合成樹脂材で軸心方向に切欠部５が形成され、常時収縮方向の弾性力が作用するように形成された筒状のフレームカバー本体６と、このフレームカバー本体６の外周部に回転することにより、変化するように形成された少なくとも２つ以上、本発明を実施する形態では２つの異なる色彩７、７Ａとで構成されている。
【００１９】
上記構成のメガネフレーム１は、フレームカバー４、４を図１に示す状態から図５に示す状態へ１８０度回転させることにより、メガネフレーム１のつる３、３部分の色彩７、７Ａを変えることができるとともに、そのフレームカバー４、４の回転もフレームカバー本体６、６の弾性に抗して回動せるだけで可能で、容易に行なうことができる。
【００２０】
なお、本発明を実施する形態ではフレームカバー本体６、６の外周部に異なる色彩７、７Ａを形成したものについて説明したが、本発明はこれに限らず、色彩と模様、色彩と形状、異なる模様、模様と形状、異なる形状を形成してもよい。
[発明を実施するための異なる形態]
【００２１】
次に、図６ないし図１８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図６ないし図９に示す本発明を実施するための第２の形態において、前記本発明を実施するための最良の第１の形態と主に異なる点は、つる本体８の先端部を連結部材９に螺合あるいは嵌合固定するつる３Ａ、３Ａを用いるとともに、該つる３Ａ、３Ａを組立てる時に筒状のフレームカバー本体６Ａ、６Ａを使用したフレームカバー４Ａ、４Ａを取付けるようにした点で、このようなつる３Ａ、３Ａとフレームカバー４Ａ、４Ａを用いて構成したメガネフレーム１Ａにしても、前記本発明を実施するための最良の第１の形態と同様な作用効果が得られる。
【００２３】
図１０ないし図１２に示す本発明を実施するための第３の形態において、前記本発明を実施するための第２の形態と主に異なる点は、連結部材９の端部を楕円あるいは多角形状の係合部１０、１０を形成したつる３Ｂ、３Ｂを用いるとともに、該つる３Ｂ、３Ｂの係合部１０、１０に回転不能に係合させることができる係合孔１１、１１を端部に形成したフレームカバー４Ｂ、４Ｂを用いた点で、このようなつる３Ｂ、３Ｂとフレームカバー４Ｂ、４Ｂを用いて構成したメガネフレーム１Ｂは、前記本発明を実施するための第２の形態と同様な効果が得られるとともに、フレームカバー４Ｂ、４Ｂを軸心方向に移動させて回動させた後、つる３Ｂ、３Ｂの結合部１０、１０にフレームカバー４Ｂ、４Ｂの係合孔１１、１１を係合させることにより、使用中に容易にフレームカバー４Ｂ、４Ｂの回動を阻止することができる。
【００２４】
図１３ないし図１５に示す本発明を実施するための第４の形態において、前記本発明を実施するための最良の第１の形態と主に異なる点は、断面ほぼ長方形状のつる３Ｃ、３Ｃを用いるとともに、切欠部５の両端部に係合部１２、１２と係合片１３、１３を形成した断面ほぼトラック状のフレームカバー４Ｃ、４Ｃを用いた点で、このようなつる３Ｃ、３Ｃとフレームカバー４Ｃ、４Ｃを用いて構成されたメガネフレーム１Ｃにしても、前記本発明を実施するための最良の第１の形態と同様な作用効果が得られる。
【００２５】
図１６ないし図１８に示す本発明を実施するための第５の形態において、前記本発明を実施するための第２の形態と主に異なる点は、つる本体８、８にスライド移動可能でフレームカバー４Ａ、４Ａの端部に圧入可能なゴムや合成樹脂材製の弾性材を用いた圧入片を用いた固定手段１４、１４を用いた点で、このような固定手段１４、１４を用いたメガネフレーム１Ｄにしても、前記本発明を実施するための第２の形態と同様な作用効果が得られる。
【００２６】
なお、本発明を実施するための各形態では２つの異なる色彩７、７Ａを用いるものについて説明したが、本発明はこれに限らず、３個以上の色、模様、形状の組合わせたものを用いてもよい。
また、フレームカバー本体６、６Ａを磁石あるいはマグネシウム材で形成したり、あるいは磁気、マグネシウム、トルマリン等を含ませたものを用いて、健康フレームにしてもよい。
【産業上の利用可能性】
【００２７】
本発明はメガネフレームおよびフレームカバーを製造する産業で利用される。
【図面の簡単な説明】
【００２８】
【図１】本発明を実施するための最良の第１の形態の斜視図。
【図２】本発明を実施するための最良の第１の形態の要部拡大正面図。
【図３】図２の３−３線に沿う拡大断面図。
【図４】本発明を実施するための最良の第１の形態のフレームカバーの説明図。
【図５】本発明を実施するための最良の第１の形態のフレームカバーを回動させた状態の斜視図。
【図６】本発明を実施するための第２の形態の斜視図。
【図７】本発明を実施するための第２の形態の要部拡大正面図。
【図８】図７の８−８線に沿う拡大断面図。
【図９】本発明を実施するための第２の形態のフレームカバーの説明図。
【図１０】本発明を実施するための第３の形態の斜視図。
【図１１】本発明を実施するための第３の形態の要部拡大正面図。
【図１２】図１１の１２−１２線に沿う拡大断面図。
【図１３】本発明を実施するための第４の形態の斜視図。
【図１４】本発明を実施するための第４の形態の要部拡大正面図。
【図１５】図１４の１４−１４線に沿う拡大断面図
【図１６】本発明を実施するための第５の形態の斜視図。
【図１７】本発明を実施するための第５の形態の要部拡大正面図。
【図１８】図１７の１８−１８線に沿う拡大断面図。
【符号の説明】
【００２９】
１、１Ａ、１Ｂ、１Ｃ、１Ｄ：メガネフレーム、
２：メガネフレーム本体、                        ３、３Ａ、３Ｂ、３Ｃ：つる、
４、４Ａ、４Ｂ、４Ｃ：フレームカバー、
５：切欠部、                                                ６、６Ａ：フレームカバー本体、
７、７Ａ：色彩、                            ８：つる本体、
９：連結部材、                                １０：係合部、
１１：係合孔、                                １２：係合部、
１３：係合片、                                １４：固定手段。
【図１】
2006220966.tif 000003
【図２】
2006220966.tif 000004
【図３】
2006220966.tif 000005
【図４】
2006220966.tif 000006
【図５】
2006220966.tif 000007
【図６】
2006220966.tif 000008
【図７】
2006220966.tif 000009
【図８】
2006220966.tif 000010
【図９】
2006220966.tif 000011
【図１０】
2006220966.tif 000012
【図１１】
2006220966.tif 000013
【図１２】
2006220966.tif 000014
【図１３】
2006220966.tif 000015
【図１４】
2006220966.tif 000016
【図１５】
2006220966.tif 000017
【図１６】
2006220966.tif 000018
【図１７】
2006220966.tif 000019
【図１８】
2006220966.tif 000020